(57)【要約】      （修正有）【課題】片手や弱い把持力でも確実にランセットをセットできる構成のランセットデバイスを提供し、同時に、ランセットデバイス内部へ埃が入ることを防止する。【解決手段】ランセットｃを射出するためのランセットデバイスにおいて、ランセットデバイス先端貫通孔を塞ぐための取り外し可能な蓋部ａを有し、蓋部がランセットデバイスから取り外された際に、蓋部はランセットを略垂直に自立させるためのスタンドとして兼ねることが出来ることを特徴とする。【選択図】図４
2010148748.tif 000002
【特許請求の範囲】
【請求項１】
ランセットを射出するためのランセットデバイスにおいて、ランセットデバイス先端貫通孔を塞ぐための取り外し可能な蓋部を有し、前記蓋部が前記ランセットデバイスから取り外された際、前記蓋部は前記ランセットを略垂直に自立させるためのスタンドとして兼ねることが出来ることを特徴とする、ランセットデバイス。
【請求項２】
前記蓋部は少なくとも平面状の部位を有し、前記蓋部がスタンドとして用いられる場合には、前記平面状部位が接地部となる、特許請求の範囲第１項に記載のランセットデバイス。
【請求項３】
前記蓋部の一部に形成された凸部構造が、前記ランセットデバイス先端貫通孔と嵌合することで、前記蓋部が前記ランセットデバイス先端貫通孔を塞ぎ、前記凸部構造はその内側に凹部構造を有し、前記蓋部が前記ランセットデバイスから取り外された際、前記ランセットは前記凹部構造内へ載置されることで略垂直に自立することが出来る、特許請求の範囲第１項に記載のランセットデバイス。
【請求項４】
前記蓋部は少なくとも平面状の部位を有し、前記凸部構造は前記平面状部位の一部に形成されており、前記蓋部がスタンドとして用いられる場合には、前記平面状部位が接地部となり、かつ前記凸部構造内の凹部構造が上方を向く、特許請求の範囲第３項に記載のランセットデバイス。
【請求項５】
前記ランセットデバイス先端貫通孔が、ランセット先端部の針を突出させるための貫通孔か、または、ランセットユニットをセットするための貫通孔である、特許請求の範囲第１項に記載のランセットデバイス。
【請求項６】
前記ランセットデバイス先端貫通孔に前記ランセットがセットされた際、前記先端貫通孔からランセットが出ている距離と、前記凸部構造の高さとが、略一致していることを特徴とする、特許請求の範囲第３項に記載のランセットデバイス。
【請求項７】
前記凸部構造の外径は、前記ランセットデバイス先端貫通孔の内径と同寸であり、前記凹部構造の内径は、前記ランセットの外径よりもやや大きいことを特徴とする、特許請求の範囲第３項に記載のランセットデバイス。
【発明の詳細な説明】
【技術分野】
【０００１】
本発明は、皮膚から体液等を採取する際に穿刺傷を形成するために使用されるランセットを立てるためのスタンドに関する。
【背景技術】
【０００２】
近年、糖尿病患者の増加に伴って、糖尿病患者自身が自宅等において自ら血糖値の測定を行って、血糖値の変動を自己管理するケースが増加している。このような状況に鑑みて、血糖値を測定するための血液を採取する際に、容易に指先等に穿刺傷を負わせて測定に必要な血液を採取することが可能なランセット（穿刺用針）と、ランセットと組み合わされて用いられるランセットデバイス（射出装置）が提供されている。このようなランセットとランセットデバイスの組み合わせは、例えば特許文献１で周知である。
【０００３】
ランセットは先端部分に針を搭載しており、ランセットがセットされたランセットデバイスの先端部分を指先等にあてた状態でばね等の力を利用してランセットを発射させ、デバイス先端部から０．数ｍｍ〜２．０ｍｍ程度距離で針の先端を突出させる。これにより、指先等を切開して傷口から流出する血液を採取して、採取した血液を血糖値計のセンサ部分等に滴下することで、血糖値を測定することができる。
【０００４】
ランセットデバイス内部にはランセットを保持するためのランセットホルダ部があり、使用者はランセットをランセットホルダ部へ嵌合させるような格好でランセットをセットする必要がある。そのために、ランセットデバイスの先端（射出する側）には、ランセットをセットするための貫通孔を有する。この先端貫通孔経由でデバイスへセットされるランセットとしては、例えば、通常のランセット単体だけでなく、ランセットと使い捨てケースが一体化されてケースごと廃棄できるように構成されたランセットユニットがある。いずれの場合であっても、この先端貫通孔自体は、特に蓋がなされることもなく、通常のランセットの場合において、ランセット先端部の針部を突出させるための小さな貫通孔を有するキャップで蓋がなされる程度である。
【０００５】
さて、これらランセット（ランセットユニット含む）は基本的に使い捨てであり、感染症防止のために、穿刺をする毎に毎回取り替えてランセットデバイス内部のランセットホルダ部へセットする必要がある。使用者は、キャップがあるタイプのランセットデバイスであればキャップを外して、ランセットデバイス先端貫通孔を経由させてランセットデバイス内部のランセットホルダ部へランセットをセットし、キャップを戻し、使用者は穿刺行為に至る。
【０００６】
このとき、片方の手でランセットを、他方の手でランセットデバイスを把持し、その状態で、ランセットをランセットデバイスの所定の位置へ取り付ける必要がある。また、ランセットホルダ内へ正確にランセットをセットしなければ、針の突出距離も変化してしまうこともあり、この一連の作業は、指の把持力が弱い、または両腕が使えない使用者にとっては、決して容易ではなかった。
【０００７】
そこで、ランセットを卓上に立てることで、僅かな力でもランセットデバイスへランセットをセットすることが期待される。しかし、ランセットを卓上へ立てる行為自体が困難である上に、逆に力が入りすぎて、ランセットが曲がってしまったり、ランセットデバイス側へ過度の負荷を掛けてしまうことでランセットデバイスを破損してしまう可能性がある。
【０００８】
ランセットではなく注射針を立てておくための簡易な構造のスタンドは過去にいくつか考案されており、それら注射針を立てるためのスタンドの例としては、特許文献２から特許文献６に詳しい。
【０００９】
【特許文献１】特公平２−８７３２号
【特許文献２】国際公開公報ＷＯ９２／１３５８５号
【特許文献３】特開平１−２７７５７１号
【特許文献４】特開平２−４９６６６号
【特許文献５】特開平２−１３６１４４号
【特許文献６】特開平６−２１９４８３号
【発明の開示】
【発明が解決しようとする課題】
【００１０】
しかし、ランセットを卓上へ立てるための専用の道具は今まで考えられていなかった。かといって、注射針を卓上へ立てるためのスタンドに似た道具を別途用意し、それをランセットデバイスへ応用することは、嵩張ってしまう上に不経済である。
【課題を解決するための手段】
【００１１】
そこで、上記課題を解決するために、本発明は、ランセットを射出するためのランセットデバイスにおいて、ランセットデバイス先端貫通孔を塞ぐための取り外し可能な蓋部を有し、前記蓋部が前記ランセットデバイスから取り外された際に、前記蓋部は前記ランセットを略垂直に自立させるためのスタンドとして兼ねることが出来ることを特徴とする、ランセットデバイスである。
【００１２】
さらに本発明は、前記蓋部は少なくとも平面状の部位を有し、前記蓋部がスタンドとして用いられる場合には、前記平面状部位が接地部となることも出来る。
【００１３】
さらに本発明は、前記蓋部の一部に形成された凸部構造が、前記ランセットデバイス先端貫通孔と嵌合することで、前記蓋部が前記ランセットデバイス先端貫通孔を塞ぎ、前記凸部構造はその内側に凹部構造を有し、前記蓋部が前記ランセットデバイスから取り外された際、前記ランセットは前記凹部構造内へ載置されることで略垂直に自立するようにすることが出来る。
【００１４】
さらに本発明は、前記蓋部は少なくとも平面状の部位を有し、前記凸部構造は前記平面状部位の一部に形成されており、前記蓋部がスタンドとして用いられる場合には、前記平面状部位が接地部となり、かつ前記凸部構造内の凹部構造が上方を向くようにすることが出来る。
【００１５】
さらに本発明は、前記ランセットデバイス先端貫通孔が、ランセット先端部の針を突出させるための貫通孔か、または、ランセットユニットをセットするための貫通孔であるようにすることが出来る。
【００１６】
さらに本発明は、前記ランセットデバイス先端貫通孔に前記ランセットがセットされた際、前記先端貫通孔からランセットが出ている距離と、前記凸部構造の高さとが、略一致していると好ましい。
【００１７】
さらに本発明は、前記凸部構造の外径は、前記ランセットデバイス先端貫通孔の内径と同寸であり、前記凹部構造の内径は、前記ランセットの外径よりもやや大きいと好ましい。
【発明の効果】
【００１８】
ランセットを卓上へ容易に立てることが出来る本発明を使用することで、指の把持力が弱い、または両腕が使えない使用者にとっても、ランセットをランセットデバイスの所定の位置へ簡単に確実に取り付けることが出来る。また、本発明の一態様により、ランセットおよびランセットデバイス側へ過度の負荷を掛けてしまうことも無くなる。さらに、ランセットデバイス先端貫通孔を塞ぐための蓋部がスタンドを兼ねているために、ランセットを卓上へ立てるための専用の道具を別途用意する必要も無くて経済的であり、また、先端貫通孔を介してランセットデバイス内部へ埃や塵が入ってしまうことも防止できる。
【発明を実施するための最良の形態】
【００１９】
本発明の一実施形態に係る蓋部を備えたランセットデバイスについて、図１から図６を用いて説明すれば以下の通りである。
【００２０】
本発明の一実施形態に係るランセットデバイスは、図１（Ａ）に俯瞰図として示すような蓋部ａを有する。図１（Ａ）に示される円周状のリブが、ランセットデバイス先端貫通孔に栓として嵌合され、蓋として作用する。ランセットデバイスの先端部に、蓋部ａが蓋として装着された状態を図３（Ａ）および図３（Ｂ）に示す。図３（Ａ）は下方よりの斜視図、図３（Ｂ）は横方向からの平面図である。市販のランセットデバイスｂの先端にある先端貫通孔へ、蓋部ａが嵌合されている様子が判る。
【００２１】
本発明の蓋部は、基本的に、少なくとも平面状の部位を有する。蓋部がスタンドとして用いられる場合には、前記平面状部位が接地部となり、安定にランセットを立てることが出来る。より詳細には、図１（Ｂ）には蓋部ａの横方向正面図、図１（Ｃ）には蓋部ａの上方からの平面図が示され、平面部１、平面部１の一部に形成された凸部構造２、凸部構造２の内側に形成された凹部構造３から構成されることが判る。後述するが、蓋部ａは平面部１を接地面としてスタンド（台座）となり、凹部構造３でランセットを受け、凹部構造３にランセットを載置させることで、ランセットを略垂直に自立させる。
【００２２】
本発明のうち、図１に係る本発明では、凸部構造２を上方から観察した際に所謂「円形」を成すが、これを「方形」にすることも出来る。蓋部ａが栓をすべきランセットデバイス先端貫通孔の形状に合わせることも出来、ランセットデバイス先端貫通孔の形状が円形ならば凸部構造２の形状も円形、ランセットデバイス先端貫通孔の形状が方形ならば凸部構造２の形状も方形とすることが出来る。また、蓋としての機能を有することが出来れば、ランセットデバイス先端貫通孔の形状が方形であっても、凸部構造２の形状を円形に加工することも、その逆も可能である。
【００２３】
各寸法としては、図１での態様を例にすれば、凸部構造２の直径が、ランセットデバイス先端貫通孔の内径と比べて同寸か、または嵌め合いを強固にするために若干大きくすることが出来る。凸部構造２が図２のように方形であれば、その対角線の最大長さを、ランセットデバイス先端貫通孔の形状を勘案した内径と比較して、嵌め合いが可能であるように調整することが出来る。
【００２４】
また、図１での態様を例にすれば、凹部構造３の内径は、載置されるランセットの外径よりも若干大きいことが好ましい。その理由としては、凹部構造３の内径と、載置されるランセットの外径を全く同じにすると、凹部構造３に嵌ったランセットが抜けなくなる可能性があり、また、もしも凹部構造３の内径を載置されるランセットの外径よりも顕著に大きくすると、蓋部ａへランセットを立たせようとしてもグラグラになり、自立しない可能性があるためである。
【００２５】
本発明のうち、図２に係る本発明では、凸部構造２が「方形」である蓋部ａの一例である。図２（Ａ）（Ｂ）ともに、蓋部ａの上方からの斜視図が示すが、蓋部ａは平面部１、平面部１の一部に形成された凸部構造２、凸部構造２の内側に形成された凹部構造３から構成されている。凸部構造２は、切欠無くリブ状に立っているのではなく、図２（Ａ）に示すように、凸部構造２へ大きく切欠が入っており、あたかも一対の構造物からなるように構成することも出来る。図２（Ｂ）に示す蓋部ａは、凸部構造２の切欠をさらに大きくし、より単純な構成にしたものである。単純ではあるが、凹部構造３の構造により、ランセットは凹部構造３により周囲を囲まれた格好になり、安定に載置できるようになっている。図２（Ａ）の構造では、凸部構造２および凹部構造３が結果的に四本の柱状の構成を成してランセットを安定に載置し、図２（Ｂ）の構造では、凸部構造２および凹部構造３が向かい合った一対の構造物を成して挟み込むようにしてランセットを安定に載置する。
【００２６】
図２に示す、凸部構造２が方形である場合であっても、凹部構造３の寸法はランセットを良好に載置できれば足り、方形における最小の辺の長さと、載置されるランセットの外径とを勘案し、決定すればよい。
【００２７】
図４（Ａ）および（Ｂ）において、市販のランセットユニットｃを、蓋部ａの凹部構造３内部へ載置した様子を示す。図４（Ａ）が上方よりの斜視図、図４（Ｂ）が下方よりの斜視図を表す。図４では、図２（Ｂ）に示すタイプの蓋部ａを用いた例を示しており、凸部構造２および凹部構造３が方形のリブを形成し、かつ当該リブへ切欠を設けた構成であるが、リブに囲まれた部分に、ランセットｃを針（針部は使用前には樹脂で覆われていることが通常であるため、針を覆う樹脂と共に）を下向けにして載置する。換言すれば、ランセットデバイス内部にあるランセットホルダ部と結合するために、ランセットｃにおけるランセットデバイス結合側を上にして、蓋部ａへ載置する。
【００２８】
図５においては、図４に示したように蓋部ａへランセットｃが載置された状態で、ランセットデバイスｂを結合させる様子を示す。図示はしないが、蓋部ａは水平な机等に接地しており、使用者はランセットデバイスｂの先端貫通孔を机上のランセットｃを目指して、セットすることになる。
【００２９】
図５において、ランセットデバイスｂをランセットｃとセットしようとすると、ランセットｃが蓋部ａに載置されているためにセットし易いため、使用者が体重をかけてしまい、想定以上の力がかかり、ランセットデバイスｂの内部が壊れてしまう可能性もある。それを防止するために、ランセットデバイスｂのランセットデバイス先端貫通孔へランセットｃをセットが完了した際に、前記先端貫通孔からランセットｃが出ている距離（図５における距離４）と、凸部構造３の高さ（図５における距離５）を比較した際に、略一致していることが好ましい。そのような構成にすることで、もしも想定以上の力がランセットデバイスｂへかけられたとしても、ランセットデバイスｂの下方向の移動は凸部構造３で止まり、凸部構造３の高さよりも下がることは無い。図５は、距離４および距離５に差が見受けられるため、ランセットデバイスｂとランセットｃは未だ完全にセットされていないことが判る。
【００３０】
図６においては、ランセットｃの樹脂部を除去し、穿刺状態の準備が出来た状態を示す。後は通常のランセットデバイスの使用に準じ、穿刺行為から使用済ランセットの廃棄行為まで、一連の作業が発生する。使用後は、図３に示す如く、蓋部ａをランセットデバイス先端貫通孔へ戻せばよい。
【００３１】
本発明は、ランセットおよびランセットデバイスの組み合わせだけでなく、超小型センサの体内への打ち込み用デバイスなど、射出装置と蓋部を有するシステム全てに応用できる。
【００３２】
以上、詳説したように、本発明のランセットデバイスにおける蓋部は、簡易な構成で、特に、弱い力でも確実にランセットをセット出来ながらも、同時に、デバイス内部に埃が入ることを防止するという効果を奏することから、様々な分野において使用される穿刺器具、ランセットデバイスに対して広く適用可能である。
【図面の簡単な説明】
【００３３】
【図１】図１は、本発明に係るランセットデバイスが有する蓋部を示す図である。
【図２】図２は、本発明の別の実施形態に係るランセットデバイスが有する蓋部を示す図である。
【図３】図３は、本発明に係るランセットデバイスへ蓋部を嵌合させた状態を示す図である。
【図４】図４は、本発明に係る蓋部へランセットを載置した状態を示す図である。
【図５】図５は、蓋部へランセットを載置した後、ランセットデバイスをセットする様子を示す図である。
【図６】図６は、ランセットデバイスへランセットをセットし、射出状態にした状態を示す図である。
【符号の説明】
【００３４】
ａ  蓋部
ｂ  ランセットデバイス
ｃ  ランセット
１  平面部
２  凸部構造
３  凹部構造
４  先端貫通孔からランセットが出ている距離
５  凸部構造３の高さ（距離）
【図１】
2010148748.tif 000003
【図２】
2010148748.tif 000004
【図３】
2010148748.tif 000005
【図４】
2010148748.tif 000006
【図５】
2010148748.tif 000007
【図６】
2010148748.tif 000008